【手続補正書】
【提出日】平成16年7月12日(2004.7.12)
【手続補正１】
【補正対象書類名】明細書
【補正対象項目名】全文
【補正方法】変更
【補正の内容】
【書類名】  明細書
【発明の名称】  流量計測制御装置
【特許請求の範囲】
【請求項１】  流体中に音波を送信または受信する送受信器と、前記送受信器間の送受信を複数回行う繰り返し手段と、前記繰り返し手段により計測された音波伝搬時間を計測する計時手段と、前記計時手段のそれぞれの値を積算した値から流量を算出する流量演算手段と、前記流体の圧力脈動の発生を監視する計測モード監視手段と、前記計測モード監視手段の出力を記憶する手段を設けた流量計測制御装置。
【請求項２】  繰り返し回数設定手段で設定された計測回数を１つの計測数として圧力脈動時に何回計測サンプリングを行うかを設定する計測回数設定手段を備え、計測モード監視手段は、前記計測回数設定手段の作動時間または駆動回数を積算する請求項１記載の流量計測制御装置。
【請求項３】  計測モード監視手段の出力を通信手段によって報知する請求項１または２記載の流量計測制御装置。
【請求項４】  計測モード監視手段の出力を液晶表示器に表示する請求項１または２記載の流量計測制御装置。
【請求項５】  計測モード監視手段の出力を不揮発性メモリ素子へ記録する請求項１または２記載の流量計測制御装置。
【発明の詳細な説明】
【０００１】
【発明の属する技術分野】
本発明は、ガスなどの瞬時流量を積算計量してなる流量計測制御装置に関するものである。
【０００２】
【従来の技術】
従来のこの種の瞬時流量を計測積算してなる流量計測制御装置は、図５に示すように、流体管路１の一部に超音波送受信器２ａ、２ｂを備え、計測開始手段３の信号によって流量計測を開始し、超音波送受信器２ａから２ｂまでの伝搬時間を計時手段４で計測する。
【０００３】
また、デジタル式では間欠的なサンプリングなので、圧力脈動があった場合、計測タイミングによって流量測定値にバラツキが生じるため正確な流量を求めるために、計測間隔を短くして測定回数を増やし、計測時間を長くして測定値を平均化する計測モードを併用している。
【０００４】
【発明が解決しようとする課題】
しかしながら従来の流量計測制御装置では、次のような課題があった。
【０００５】
すなわちデジタル式では間欠的なサンプリングなので、圧力変動があった場合、正確な流量を求めるには測定回数を増やして測定値を平均化する必要があるため計測間隔を短くして計測時間を長くする必要があった。
【０００６】
このため、異常使用時の遮断などの保安機能を兼ねた電池駆動式のガスメーターでは常時圧力脈動に対する計測を行なっていては大きな電池容量を必要とし、検定満期（１０年）と圧力脈動の発生頻度を考慮するとガスメーター構成上、経済コスト面が課題となっていた。
【０００７】
【課題を解決するための手段】
本発明は上記課題を解決するために、流体中に音波を送信または受信する送受信器と、前記送受信器間の送受信を複数回行う繰り返し手段と、前記繰り返し手段により計測された音波伝搬時間を計測する計時手段と、前記計時手段のそれぞれの値を積算した値から流量を算出する流量演算手段と、前記流体の圧力脈動の発生を監視する計測モード監視手段と、前記計測モード監視手段の出力を記憶する手段を設けたものである。
【０００８】
これによって、計測回数設定手段の作動状況から圧力変動の発生状況が監視できるため、電池の消費状態とメーター管理を迅速に行うことができる。
【０００９】
【発明の実施の形態】
第１の発明は、流体中に音波を送信または受信する送受信器と、前記送受信器間の送受信を複数回行う繰り返し手段と、前記繰り返し手段により計測された音波伝搬時間を計測する計時手段と、前記計時手段のそれぞれの値を積算した値から流量を算出する流量演算手段と、前記流体の圧力脈動の発生を監視する計測モード監視手段と、前記計測モード監視手段の出力を記憶する手段を設けたことにより、圧力脈動の発生頻度を把握することができる。
【００１０】
第２の発明は、計測回数設定手段の作動時間を管理することにより、圧力脈動の発生時間を把握することができる。
【００１１】
第３の発明は、計測モード監視手段の出力を通信手段によって報知することにより、集中監視センターで圧力脈動発生エリアの情報や発生時間を把握することができる。
【００１２】
第４の発明は、計測モード監視手段の出力をメーター指針値表示器に表示することにより検針員が確認することができる。
【００１３】
第５の発明は、計測モード監視手段の出力を不揮発性メモリ素子へ履歴を記録することにより、電池容量の消費原因情報としてメーター管理を行うことができる。
【００１４】
【実施例】
以下、本発明の実施例について図面を用いて説明する。
【００１５】
（実施例１）
以下、本発明の第１の実施例を図面にもとづいて説明する。図１において、流体管路５の途中に超音波を発信する第１送受信器６ａと受信する第２送受信器６ｂが流れ方向に配置されている。７は第１送受信器６ａへの発信回路、８は第２送受信器６ｂで受信した信号の増幅回路で、この増幅された信号は基準信号と比較回路９で比較され、基準信号以上の信号が検出されたとき繰り返し回数設定手段１０で設定された回数を繰り返し手段１１で遅延回路１２で信号を遅延させた後、トリガ回路１３で超音波信号を繰り返し発信する。繰り返し回数設定手段１０で設定された回数が繰り返されたときの時間を計時用クロックのパルスをカウントする計時手段１４で求め、マイクロコンピュータ１９に内蔵されている記憶手段１５に値を記憶させる。このようにして第１送受信器６ａから第２送受信器６ｂへすなわち上流から下流（以下、上流送信という）へ超音波を送信する。
【００１６】
次に切換手段１６で第１送受信器６ａと第２送受信器６ｂの発信受信を切り換えて、第２送受信器６ｂから第１送受信器６ａへ、すなわち下流から上流（以下、下流送信という）に向かって超音波信号を発信し、この発信を前述のように繰り返し、その時間を計時する。
【００１７】
そしてその時間差から管路の大きさや流れの状態を考慮してマイクロコンピュータ１９の流量演算手段１７で流量値を求める。
【００１８】
１８は計測回数設定手段で、繰り返し回数設定手段１０で設定された計測回数を１つの計測数として何回計測サンプリングを行うかを設定するもので、計測気体に圧力脈動がある場合にこの計測を実施する。
【００１９】
図２は圧力脈動がある場合の計測サンプリングの状態を示したもので、時間Ｔ１の間は、前述の上流送信を繰り返し回数６回で行いその伝搬時間は計時手段１４でカウントされ記憶手段１５にその伝搬時間ｔ１を記憶する。
【００２０】
次に送受信器６ａ・６ｂを切り換えて時間Ｔ２の間、下流送信を６回行ないその伝搬時間ｔ２が記憶される。さらに所定時間ｔｂ経過後、時間Ｔ３の間に上流送信、時間Ｔ４の間に下流送信が行われて、伝搬時間ｔ３とｔ４がそれぞれ記憶される。
【００２１】
このように間欠的に上流送信と下流送信が一対で行われ、本実施例では各Ｔ４０回の計測を行なう。その時の伝搬時間は記憶手段１５に蓄えられる。
【００２２】
そして記憶手段１５のデータは流量演算手段１７で演算し流量を算出する。この演算は例えば、上流送信の総和を求め、繰り返し回数の総和から１回あたりの伝搬時間の平均値を算出し、同様に下流送信の１回あたり伝搬時間の平均値を算出し、それぞれの伝搬時間の時間差、または時間の逆数の差から算出する。
【００２３】
図３、図４はそれぞれの計測モードを図示したもので、横軸に時間、立軸に流量を表す。通常は図３に示すように計測周期ＴＳ時間で上記で説明した上流送信と下流送信を所定の回数実施して流量計測を行ない。計測管路１で圧力脈動が発生した時は図４に示す計測を行なう。すなわち図２で説明した計測モードの流量計測を実行する。
【００２４】
これらの計測モード選択は、マイクロコンピュータ１９の計測モード選択部２０で、例えば、流量演算手段１７の演算結果から変動値を判定する。もしくは圧力センサを使用するなどの方法で行なう。
【００２５】
計測モード監視手段２１は、計測回数設定手段１８を駆動した回数をカウントするか、継続時間を測ることにより圧力脈動の発生を管理する。計測モード監視手段２１の出力は、２２の指針値表示器であるＬＣＤに時間か回数を表示することもできる。
【００２６】
また、ガスメーターには遠隔検針を行なう通信手段２３が搭載されており、この通信手段によって管理センターへ通報することもできる。
【００２７】
そして、マイクロコンピュータ１９の外部に設けた不揮発メモリ２４に前記計測モード監視手段２１の出力を記憶させておくことにより、電池容量の消耗によりマイクロコンピュータ１９が停止した場合でも計測モードの履歴を確認することができる。
【００２８】
以上の説明から明らかなように本実施例の流量計測制御装置によれば次の効果が得られる。
【００２９】
（１）小さな繰り返し回数による計測を複数回計測することによって、圧力脈動流に対して正確な流量計測を行うことができ、計測モードを監視することによって圧力脈動発生状況を管理することができる。
【００３０】
（２）計測モードを監視することにより、圧力脈動の発生頻度が少ない圧力脈動流計測モードを全て想定する大きな電池容量を搭載する必要がなく、発生頻度を監視することで経済コストメリットのあるガスメーターを提供することができる。
【００３１】
【発明の効果】
以上より、本発明は、流体状況を正確把握できる。
【図面の簡単な説明】
【図１】
本発明の実施例１の流量計測制御装置のブロック図
【図２】
同装置の圧力脈動流計測波形図
【図３】
同装置の通常流量計測シーケンス図
【図４】
同装置の圧力脈動計測シーケンス図
【図５】
従来の流量計測装置のブロック図
【符号の説明】
５  流体管路
６ａ、６ｂ  送受信器
１０  繰り返し回数設定手段
１１  繰り返し手段
１４  計時手段
１７  流量演算手段
１８  計測回数設定手段
１９  マイクロコンピュータ
２１  計測モード監視手段
２２  液晶表示器
２３  通信手段
２４  外部メモリ